(57)【要約】      （修正有）【課題】閉口時間短縮に磁石を対峙して用いた水管理器を提供する。【解決手段】給水口に接続して、中央部に給水口から取水する取水接続口兼給水口を有し、固定棒の設置位置により目的の水深を設定可能な平板と水深による浮体の上下動により、平板の給水口を開閉する板を操る本体からなる水田の水管理器において、本体は開閉板の動く軌道と開閉板を上下させる開閉板押上軸、押下軸、開閉板の下降を操る梃棒と梃棒の梃引き軸の操りが設けられ、平板の給水口を完全に開閉板が閉口する位置に上昇を止める台が設けられ、台の上部に磁石体を設け、磁石体と対峙する開閉板の位置に磁石を設けて、平板の設置位置から設定された水深まで、浮体が上昇すると本体に設けられた軌道を開閉板押し上げ軸により平板の磁石体の位置で給水口が完全閉口し、水田の水位の下降により、開閉板の軌道を梃棒の梃引き軸により、平板の磁石体に作用点を有する構成の梃棒が本体平板の磁石体と開閉板の磁石の接着を分離作用し、水田の給水口を開口する構造。【選択図】図１
0003222980.tif 000002
【実用新案登録請求の範囲】
【請求項１】
水田の入水に伴う水深変動により浮きが動く浮力で開閉板を操り水田への給水口を開閉して水位調節を行う水田の水管理器において、
開閉板による給水口の完全に閉口する終期の補助動力として、給水口を完全閉鎖して開閉板が止まる位置となる停止台の上部と前期停止台に接触する開閉板の部分に磁石体を設けたことを特徴とする水田の水管理器。
【考案の詳細な説明】
【技術分野】
【０００１】  この考案は水田の水管理に用いる水管理器の給水口を開閉する開閉板の動きを浮体から生じる動力と磁力から生じる磁力を動力に開閉板の動きを制御した水管理器に関するものである。
【背景技術】
【０００２】  従来の水管理器は入水に伴う水深変動により浮が動く浮力で開閉板を操り給水口を開閉し水位調節していた。浮は入水が続く限り上昇し開閉板を押上げ給水口を狭搾し続け次第に入水量も減少し、浮体、開閉板共に微動状態になった。故に完全閉口になるまで入水が続く長い時間を要する水管理であった。浮体の浮力だけによる動きは入水量のみの動きである限り動きに限界があり、何らかの補助動力源を加えて開閉板の動きを変えるべきである。
【先行技術文献】
【０００３】
【実用新案特許】
登録第３１７４３８７号
【考案の概要】
【考案が解決しようとする課題】
【０００４】  従来、水管理器を用いて行う水田の水管理は次のような欠点があった。給水口、浮、開閉板で構成された水管理器は給水口を介し、入水した貯水の水深の変動で浮が浮沈みする動きを利用して開閉板を操り給水口を開閉して水管理を行っていた。給水口の狭搾に連れ入水も減少し、開閉板の動く閉口速度も遅くなる構造である。故に閉口迄の間、小水量で然も冷水が長時間入り続く事態となった。水温上昇を計りたい水管理に於いて給水口の閉口に長時間要し冷水が入る事態に困っていた。浮の上下動、開閉板の上下動、何れも基本は入水が条件とする動力源なので動きに限界が有り、何らかの補助的動力源を加えない限り欠点を解消できない。本考案は以上のような欠点を無くする為に成されたものである。
【課題を解決するための手段】
【０００５】  本考案は本体（１８）磁石体（２１）開閉板（１７）浮体（１）の組合せで構成した水管理器に依って水田の水深を制御する。本体（１８）は平板の上部左右に磁石体（２１）を操る梃（１０）は力点を穴（９）に作用点（１２）に突起（１４）を梃棒（１０）に下向きの開閉板押下軸（１１）を設けて構成し対峙して支点（１５）を据えて設ける。梃の作用点（１２）より下に梃（１０）の載せ置きと開閉板（１７）の上昇を止める台（７）を設け、該台（７）に梃の作用点（１２）を載せて留置く。更に梃の作用点（１２）上に磁石を設けた磁石体（２１）の軸穴（２２）を突起（１４）に通し載せて配置する。磁石体（２１）の留置きは対峙して開閉板磁石（１３）が引き合いで上昇移動する構成にしたものである。作用点（１２）の載った台（７）より下に開閉板（１７）が上下に動く軌道（６）と開閉板押軸（１９）が通る通管（２０）を設ける。軌道（６）には重量板の上部中央に磁石（１３）を設けた開閉板（１７）を配置する。通管（２０）の上面は開閉板（１７）の下降時の停止置と上昇時の始発置である。以上に構成した本体板を直立に支え一端を杭として使用目的地に固定する固定棒（４）を本体板裏の左右に設ける。該固定棒（４）を本体板裏の左右に設ける。該固定棒（４）の軸を尺として開閉板（１７）をスライドさせ求める水深値を設定する構成にした完成の本体（１８）と一体となる浮体（１）は重量支軸（２）の両端に浮（１）を設け該重量支軸（２）の左右上面に梃引き軸（５）と開閉板押下軸（１９）を設けて構成し梃引き軸（５）の先端を力点穴（９）に通し先方に梃の引き始まりを決める操り（８）を設け、更に開閉板押下軸（１９）を通管（２０）に挿入した組合せの構成にした水管理器は課題を解決する手段に開閉板（１７）に磁石（１３）を設け対峙して磁石体（２１）を配置して相互の磁力を梃（１０）で制御し開閉板（１７）の動きを変えて給水口（３）の閉口を早めた。
【考案の効果】
【０００６】  水田の水管理を水深による上下動する浮体の動力で給水口を開閉板で開閉し入水を制御する水深管理器は本体板の左右最上部に開閉板の磁石と磁石体の接着状態を分離し磁石体を遠隔する梃を対峙して設ける。梃の作用点の下の位置に台を設け該台に梃の作用点を載せて留め置く。更に梃の作用点に磁石体を載せて配置する。磁石体と対峙し引き合う磁石を開閉板の最上部中心に設ける。
結果、浮体の上昇する動きで開閉板が上昇し磁石体に近づくに連れ、引き合う磁力が増強、留置く磁石体に向って開閉板が瞬時に上昇移動台を挟み接着すると開閉板の閉口部で給水口が閉口され止水する。閉口が継続し水量の減少に伴う重量を付けた浮体の下降する動きで梃引き軸が梃の力点を引き梃の作用点に載せた磁石体と開閉板磁石の接着状態を梃で分離磁石体を遠隔すると磁力が弱まって浮いた状態の開閉板は自らの重量が磁力に優ると瞬時に下降になり通水口と給水口が連通になり入水する。浮体の動力で開閉板を操る構造にした効果で間断灌水と給水口の閉口が早まり冷水が入る時間が短縮され温水効果を早めた最も好ましい水田の水管理ができる。
【図面の簡単な説明】
【０００７】
【図１】本考案の水管理器の正面図である。
【図２】本考案の本体正面図である。
【図３】本考案の磁石体の斜視図である。
【図４】本考案の浮体の正面図である。
【図５】本考案の開閉板の正面図である。
【考案を実施する為の形態】
【０００８】  本考案の水田の水深を制御する装置は本体、磁石体、開閉板、浮体の組合せで構成する。本体は平板の中央に取水接続口兼給水口を設け上部左右に梃を対峙し視点を据えて設ける。梃は浮体の梃引き軸に依って引かれ動き開閉板の磁石と接着している磁石体の分離遠隔を目的とする。梃は力点に梃引き軸を通す穴と梃の作用点に磁石体の落下を防ぐ突起と梃棒の力点寄りに開閉板の下降を助長する開閉板押下軸を下に向けて設けて構成する。梃の作用点より下に開閉板の上昇を止める台を設け該台に梃の作用点を載せ置く、更に開閉板磁石と対峙し引き合う磁石体の軸穴を梃の作用点上の突起に通し載せて配置する。台より下に開閉板が動く間合いが取られ、間の中央に給水口を設け該給水口面に重量板を通水口閉口部で形成し上部中央に磁石を設けた開閉板を配置する。開閉板は押し上げられて磁石体に近づくと瞬時に磁力移動して磁石体に接着すると閉口部で給水口が閉口になる。開閉板を配置した間の両側に開閉板が動くための軌道と開閉板を押し上げる開閉板押下軸が通る通管を設ける。通管の上面は開閉板の下降の動きが止まる停止置と開閉板押下軸が開閉板を押す始点を兼ねる。以上に本体板前面を構成し更に本体板の裏面左右に固定棒を設ける。該固定棒を軸に尺として本体板をスライドして水深を決定する。固定棒の一端は本体板を使用目的地に固定する杭になる。以上に構成した本体と一体になる浮体は重量支軸の両端に浮を設け重量支軸の左右上面に開閉板押下軸と梃引き軸を設け該開閉板押下軸を本体通管に挿入し、更に梃引き軸を梃の力点穴に通し先方に操りを設ける。操りの固定値は梃が引かれ磁石体を遠隔し始める設定値になる。以上の本体と浮体による機構の水管理器。全容は入水口に依る増水で浮体が上昇する動きで開閉板が押し上げられ給水口を狭搾して上昇し磁石体に近づくと相互磁石が働き瞬時に上昇移動対峙する載せ置き磁石体に停止台を挟み接着すると給水口が閉口になる。開閉板は水深変動による上昇の動きと磁力移動で上昇する動きの二重の動きに依って給水口の閉口を早め完全止水する。閉口に依る減水で重量の浮体の下降する動きで梃が引かれ開閉板磁石と接着の磁石体を分離遠隔に連れて磁力が弱まり浮いた状態の開閉板の重量が磁力に優ると自らの重量で瞬時に下降、給水口が閉口になり止水する構造になった間断灌水する動きをする。
【符号の説明】
【０００９】  １  浮（浮体）
２  重量支軸（浮を支えた軸）
３  給水口（給水口兼取水接続口）
４  固定棒（一端が杭で使用目的地に本体板を固定し水深設定の尺）
５  梃引き軸
６  軌道（開閉板の動く軌道）
７  台（作用点の載せ置きと開閉板の停止台）
８  操り（梃引き軸が梃を引き始める位置を決める固定具）
９  力点穴（梃の力点をくり貫いた穴）
１０  梃（梃棒）
１１  開閉板押下軸（開閉板の下降を助長する軸）
１２  梃の作用点
１３  磁石（開閉板の磁石）
１４  突起（作用点に載った磁石体の落下防止）
１５  支点（梃の支点）
１６  通水口（開閉板の開口部）
１７  開閉板（給水口の開閉具）
１８  本体
１９  開閉板押軸（開閉板押上軸）
２０  通管（開閉押上軸が通る管と開閉板の動く始点と停止置）
２１  磁石体
２２  磁石体の軸穴
２３  磁石体の磁石
２４  力点（梃の力点）
【図１】
0003222980.tif 000003
【図２】
0003222980.tif 000004
【図３】
0003222980.tif 000005
【図４】
0003222980.tif 000006
【図５】
0003222980.tif 000007
【手続補正書】
【提出日】令和1年6月18日(2019.6.18)
【手続補正１】
【補正対象書類名】実用新案登録請求の範囲
【補正対象項目名】全文
【補正方法】変更
【補正の内容】
【実用新案登録請求の範囲】
【請求項１】
給水口に接続して設けられ、中央部に給水口から取水する取水接続口兼給水口を有し、その固定棒での設置位置により目的位置の水深を設定可能な平板と、水田の水深による浮体の上下動により、前記平板の給水口を開閉する開閉板を操る本体とからなる水田の水管理器において、前記本体は、前記開閉板の動く軌道とその軌道に開閉板を上下させる開閉板押上軸、開閉板押下軸、開閉板の下降を操る梃棒と前記梃棒の梃引き軸の操りが設けられ、前記平板の給水口を完全に開閉板が閉口する位置に開閉板の上昇を止める台が設けられ、前記台の上部に磁石体を設け、前記本体磁石体と対峙する開閉板の位置に磁石を設けて、平板の設置位置から設定された目的位置の水深まで、浮体が上昇すると本体に設けられた軌道を開閉板が開閉板押し上げ軸により平板の磁石体の位置で給水口が完全閉口し、水田の水位の下降によって、本体に設けられた開閉板の軌道を梃棒の梃引き軸により、前記平板の磁石体に作用点を有する構成とされた梃棒が本体平板の磁石体と開閉板の磁石の接着を分離作用し、水田の給水口を開口する構造としたことを特徴とする水田の水管理器。